(57)【特許請求の範囲】
【請求項１】
ロール状に券回され内部に保持された用紙が発行口から外部へ排出されたか否かを検出する用紙検出センサを有すると共に、用紙を巻き取る巻き取り機構を有する対面式はかりにおいて、
ジャーナル発行時にレシート用紙の走向距離を測定するレシート走向距離測定手段と、
ジャーナル発行の際に、前記レシート用紙をはかり内部で巻き取るか、外部に送り出すかを判断する判断手段と、
この判断手段により内部での巻き取りと判断された場合には、レシート走向距離測定手段により測定されたレシート用紙の走向距離が規定値に達すると前記ジャーナルの発行を停止する停止手段とを具備したことを特徴とする対面式はかり。
【請求項２】
前記用紙検出センサーによりレシート用紙が検出されたときに、前記判断手段により前記レシート用紙をはかり内部で巻き取るモードであると判断された場合にはエラー処理を行うことを特徴とする請求項１記載の対面式はかり。
【発明の詳細な説明】
【０００１】
【発明の属する技術分野】
本発明はスーパーマーケット等で用いられる対面はかりに関する。
【０００２】
【従来の技術】
近年、スーパーマーケット等において図５（Ａ）に示すような対面はかりを用いて、肉類等が販売されている。このような対面はかりは通常ショーケースの上に載置される。ショーケース上は顧客との金銭や商品の授受のスペースが必要であるため、対面はかりは小型化が要求されている。
【０００３】
図５（Ａ）に示すように、対面はかりは、その筐体１１の上面に秤部１２を備えるとともに、前面にタッチパネル付きＬＣＤ（液晶表示装置）１３を備えている。
【０００４】
さらに、ＬＣＤ１３の脇には、印刷済みのラベルまたはレシートが排出される排出口１４が設けられている。この排出口１４の内部には、ラベル用紙あるいはレシート用紙が収納されており、これらラベル用紙あるいはレシート用紙は搬送路を搬送されて、サーマルヘッドにおいて印字が行われた後に、排出口１４から排出される。
【０００５】
また、ラベル用紙あるいはレシート用紙がなくなった場合には、蓋１５を開けてラベル受け１６に新しいラベル用紙あるいはレシート用紙１７をセットするようにしている。
【０００６】
次に、図４を参照してラベル受け１６周辺の構成について説明する。図４において、２０はラベル受け皿である。このラベル受け皿２０はプリンタカセットベース２０ａに取り付けられている。
【０００７】
このラベル受け皿２０に矢印ｂ方向に沿ってラベル用紙２１が落とし込まれる。このラベル用紙２１は長尺状で、このラベル用紙２１上にはラベルが等間隔で貼られている。
【０００８】
このラベル用紙２１はローラ２２、２３、プラテンローラ２４とサーマルヘッド２５との間に形成される搬送路２６を介して剥離板２７まで搬送されると、この剥離板２７においてラベル２８が剥離される。
【０００９】
そして、ラベル２８が剥離されたラベル用紙２１は巻取りコア２９により巻き取られる。前述したプラテンローラ２４と巻き取りコア２９は同じモータにより駆動される。
【００１０】
ところで、ローラ２２と２３との間にはラベル用紙２１はレシートの終端を検出するラベルエンドセンサ３０が設けられている。さらに、剥離板２７の排出口１４側と対向するようにレシートカッタ３１が設けられている。このレシートカッタ３１はレシートを切断するためのものである。
【００１１】
また、剥離板２７のすぐ排出口１４側には、発光素子と受光素子との組である用紙検出センサ（トリデルセンサともいう）３１が設けられている。
【００１２】
ところで、このラベル用紙２１は未使用状態では実線ａ位置にあり、使用されるに従ってラベル用紙２１の径は小さくなっていく。これは、受け皿２０にセットされている状態では、ラベル用紙２１にはラベル２８が等間隔で貼られているため、ラベル２８の厚さにより径が大きくなる。しかし、剥離板２７においてラベル２８が剥がされるため、巻取りコア２９に巻き取られるラベル用紙２１の径は受け皿２０に最初にセットされた径より小さくなる。
【００１３】
従って、巻取りコア２９に巻き取られるラベル用紙２１の径は、受け皿２０にセットされるラベル用紙２１の径より小さくなる。このため、巻取りコア２９の周囲のスペースは受け皿２０周辺のスペースより小さくすることにより、対面はかりを小型化している。
【００１４】
【発明が解決しようとする課題】
また、近年の電子化・システム化に伴い、ジャーナルは電子ジャーナル化してきている。しかし、ジャーナルを証拠として残すことからまだレシートに印字して保管される場合もある。
【００１５】
金銭授受を行う対面売りの場合、２枚重ねのレシートを受け皿２０にセットしておき、下側のレシートを巻取りコア２９に巻き取って保管している。
【００１６】
しかし、２枚重ねのレシートは高いため費用がかかる。さらに、２枚重ねのレシートに印字させるためには、エネルギーを多く必要とするため、サーマルヘッドの寿命に影響したり、場合によっては発行スピードを落とさなければならなかった。さらに、サーマルヘッドとして高価な履歴機能付きサーマルヘッドを使用しなくてはならないため、対面はかりが高価になるという問題がある。
【００１７】
また、２枚重ねのレシートを印字した場合には、２枚目の印字が薄くなってしまうという問題があった。
【００１８】
そこで、通常のレシートを使用して、一日の業務終了後に、１日のジャーナルを一気に打ち出すという方法がある。
【００１９】
しかし、レシートを内部巻取りにすると、セットしたレシートがそのまま巻き取られるため、前述した巻き取り部分のスペースを大きくしないと巻き取ったシートが受け皿２０やプリンタカセットベース２０ａに当たってしまい巻取りコア２９が回転しなくなって過負荷がかかり、過電流が流れて発熱してしまうという問題があった。
【００２０】
本発明は上記の点に鑑みてなされたもので、その目的は、巻き取り側のスペースを大きくすることなくジャーナルレシートの内部巻取りが可能な対面式はかりを提供することにある。
【００２１】
【課題を解決するための手段】
請求項１記載の発明は、ロール状に券回され内部に保持された用紙が発行口から外部へ排出されたか否かを検出する用紙検出センサを有すると共に、用紙を巻き取る巻き取り機構を有する対面式はかりにおいて、ジャーナル発行時にレシート用紙の走向距離を測定するレシート走向距離測定手段と、ジャーナル発行の際に、前記レシート用紙をはかり内部で巻き取るか、外部に送り出すかを判断する判断手段と、この判断手段により内部での巻き取りと判断された場合には、レシート走向距離測定手段により測定されたレシート用紙の走向距離が規定値に達すると前記ジャーナルの発行を停止する停止手段とを具備したことを特徴とする。
【００２２】
請求項２記載の発明は、前記用紙検出センサーによりレシート用紙が検出されたときに、前記判断手段により前記レシート用紙をはかり内部で巻き取るモードであると判断された場合にはエラー処理を行うことを特徴とする。
【００２３】
【発明の実施の形態】
以下図面を参照して本発明の一実施の形態について説明する。図１を参照して対面式はかりのシステム構成について説明する。図１において、４１はＣＰＵ（中央処理装置）である。このＣＰＵ４１のシステムバス４１ａにはＲＯＭ（リード・オンリ・メモリ）、ＲＡＭ（ランダム・アクセス・メモリ）４２、ロール状に券回され内部に保持された用紙が発行口から外部へ排出されたか否かを検出する用紙検出センサ３１、ラベルエンドセンサ３０、ＬＣＤ（液晶表示装置）４４、タッチパネル４５、サーマルヘッド２５、モータ制御部４６、カセットセンサ４８が接続される。このモータ制御部４６にはモータ４７が接続される。このモータ４７はステッピングモータにより構成されており、このモータ４７を駆動源としてプラテン２４及び巻取りコア２９が回転制御される。
【００２４】
ＲＯＭ４２は各種制御プログラムを記憶すると共に、図２のフローチャートに示すようなジャーナル発行を行うジャーナル発行制御プログラムが記憶されている。
【００２５】
ＲＡＭ４３には、ジャーナル発行指示がされてからラベル用紙２１が走向する距離を計数するカウンタである走向距離カウンタ５１、巻き取りコア２９に巻き取られるレシート用紙の積算距離を計数するレシート紙発行積算距離カウンタ（レシート走向距離測定手段）５２、レシート用紙が巻き取りコア２９に巻き取られる場合に“１”にセットされる巻取りフラグ５３、電子ジャーナルデータが設けられている。タッチパネル４５には、各種キーのほかジャーナル発行を指示するジャーナル発行指示キー、一時停止キー等が表示される。
【００２６】
次に、上記のように構成された本発明の一実施の形態の動作について説明する。対面式はかりはラベル用紙やレシート用紙に印字を行うことができる。ラベル用紙に印字を行う場合には、ラベル用紙２１を受け皿２０に落とし込み、ラベル用紙２１の先端を図４の実線で示す経路を通過させた後、巻き取りコア２９に巻き取らせる。その後、カセット（図示しない）を押し込むと、サーマルヘッド２５が実線位置となる位置にセットされる。このカセットが完全にセットされたかは、カセットセンサ４８で検出される。
【００２７】
カセットセンサ４８でカセットが正しくセットされていることと、ラベルエンドセンサ３０によりラベル用紙２１（あるいはレシート用紙）が正しくセットされていることが検出されると、印字可能状態となる。
【００２８】
例えば、受け皿２０にラベル用紙２１をセットしてラベル印刷を行う場合には、印刷を終えたラベル３１が剥離版２７で剥離されて排出されるラベルエッジを用紙検出センサ２８で検出されて、その後に印字位置が決定される。そして、発行が完了したラベルが、剥離板２７上にあるか（つまりラベルが取られた）、あるいは剥離板２７上にはないことを検出して次のラベルの発行を許可する。
【００２９】
また、レシート用紙にジャーナルを印字させる場合には、レシート用紙を受け皿２０に落とし込み、レシート用紙の先端を図４の実線で示す経路を通過させた後、巻取りコア２９に巻き取らせる。カセットセンサ４８でカセットが正しくセットされていることと、ラベルエンドセンサ３０によりラベル用紙２１（あるいはレシート用紙）が正しくセットされていることが検出されると、印字可能状態となる。
【００３０】
その後、ジャーナル発行指示がタッチパネル４５で指定されると、ＲＡＭ４３に記憶されている電子ジャーナルデータがサーマルヘッド２５でレシート用紙に印刷される。そして、電子ジャーナルデータの印刷が終わったレシート用紙は巻取りコア２９に巻き取られる。
【００３１】
以下、図２及び図３のフローチャートを参照してジャーナル発行処理について説明する。まず、レシート用紙を受け皿２０に落とし込み、レシート用紙の先端を図４の実線で示す経路を通過させた後、巻取りコア２９に巻き取らせる。
【００３２】
そして、タッチパネル４５からシャーナル発行指示を行うと、図２のフローチャートに示す処理が開始される。
まず、初期設定として、巻取りフラグ５３がオフされ、走向距離カウンタ５１がリセットされると共に、レシート紙発行積算距離カウンタ５２がリセットされる（ステップＳ１１）。
【００３３】
次に、ラベルエンドセンサ３０によりラベルエンドが検出されているかが検出され（ステップＳ１２）。このステップＳ１２の判定で「ＹＥＳ」と判定された場合には、カセットセンサ４８によりカセットが正しくセットされているかが検出される（ステップＳ１３）。
【００３４】
このステップＳ１３の判定で「ＹＥＳ」と判定された場合には、タッチパネル４５からの一時停止キー入力があるかが判定される（ステップＳ１４）。
【００３５】
このステップＳ１４の判定で「ＮＯ」と判定された場合には、サーマルヘッド２５でジャーナルが１ライン印字される。そして、印字された後、モータ４７が駆動されて、レシート用紙が所定距離だけフィードされる（ステップＳ１５）。この所定距離はジャーナルが１ライン印字されてから次の１ラインが印字されるまでの距離である。
【００３６】
そして、走向距離カウンタ５１が所定距離相当分だけカウントアップされる（ステップＳ１６）。
【００３７】
そして、走向距離カウンタ５１に計数されるレシート用紙の走向距離が用紙検出センサ３１の位置まで到達される地点に達したかが判定される（ステップＳ１７）。
【００３８】
このステップＳ１７の判定で「ＮＯ」と判定された場合には、前述したステップＳ１２の処理に戻る。
【００３９】
ところで、ステップＳ１７の判定で「ＹＥＳ」と判定された場合には、用紙検出センサ３０の到達地点での用紙検出センサ３１による用紙の有無が検出されたかが判定される（ステップＳ１８）。
【００４０】
最初にこのステップに来るときは、用紙検出センサ３０の到達地点での用紙検出センサ３１による用紙の有無が検出されていないので、「ＮＯ」と判定される。そして、用紙検出センサ３０にレシートがかかっているかが判定される（判断手段）（ステップＳ１９）。
【００４１】
このステップ１９の判定で「ＮＯ」と判定された場合には、巻取りと判断し、巻取りフラグ５３がオンされる（ステップＳ２０）。その後、ステップＳ１２の処理に戻る。
【００４２】
ところで、ステップＳ１８の判定で「ＹＥＳ」と判定された場合には、用紙検出センサ３１によりレシートがかっていることが検出されたかが判定される（ステップＳ２１）。
【００４３】
このステップＳ２１の判定で「ＮＯ」、つまり用紙検出センサ３１によりレシートがかっていないと判定された場合には、巻取りフラグ５３がオンしているかが判定される（ステップＳ２２）。
【００４４】
このステップＳ２２の判定で「ＹＥＳ」、つまり巻取りフラグ５３がオンされていると判定された場合には、レシート紙発行積算距離カウンタ５２に距離数加算される（ステップＳ２３）。この距離数とは、レシートに１ライン印字してから次の１ラインを印字するまでの距離を意味する。
【００４５】
そして、レシート紙発行積算距離カウンタ５２に計数されるレシート紙の発行積算距離が規定値以内であるかが判定される（ステップＳ２４）。この規定値とは、巻取りコア２９にレシート用紙が巻き取られた結果、巻き取り部分のスペース内に収まるようなレシート用紙の全長を意味する。
【００４６】
このステップＳ２４の判定で「ＹＥＳ」と判定された場合には、印刷が完了したかが判定される（ステップＳ２５）。このステップＳ２５の判定で「ＮＯ」と判定された場合には、前述したステップＳ１２の処理が行われる。つまり、レシート紙発行積算距離が規定値以内であれば、レシート用紙が巻き取り部分のスペース内に収まっているので、次の１ラインのジャーナルが印字される。
【００４７】
このステップＳ２５の判定で「ＹＥＳ」と判定された場合には一連のジャーナル発行処理が終了される。
【００４８】
ところで、ステップＳ２１の判定で「ＹＥＳ」と判定された場合には、巻取りフラグ５３がオンであるかが判定される（ステップＳ２６）。このステップＳ２６で「ＹＥＳ」と判定された場合には、エラー表示がなされる（ステップＳ２７）。つまり、巻取りフラグ５３がオンであるということは、レシート用紙を巻取りコア２９に巻き取るべき内部巻取りであるのに、排出口１１からレシート用紙が外部に排出されて用紙検出センサ３１で検出されていると判定される。このような場合には、エラー表示がなされる。
【００４９】
ところで、ステップＳ２４の判定で「ＮＯ」と判定された場合、つまり、レシート紙発行積算距離カウンタ５２に計数されるレシート紙の発行積算距離が規定値を超えた場合には、エラー表示がなされる（ステップＳ２８）。このエラー表示として、ジャーナル発行処理を続けるかのメッセージが出力される。
【００５０】
このメッセージに対して、オペレータがタッチパネル４５からジャーナル発行処理を続けるか否かを入力する。
【００５１】
これに対してジャーナル発行処理を続けるかが判定される（ステップＳ２９）。このステップＳ２９の判定で「ＹＥＳ」、ジャーナル発行処理を続けると判定された場合には、前述したステップＳ１１の処理に戻る。つまり、巻取りコア２９に巻き取られたレシート用紙を取り除き、新たなレシート用紙を落とし込み、レシート用紙の先端を図４の実線で示す経路を通過させた後、巻取りコア２９に巻き取らせた後、再度ステップＳ１１以降の処理を行う。ステップＳ２８〜Ｓ３０により停止手段が構成されている。
【００５２】
このように、レシート紙発行積算距離が規定値を超えた場合には、レシート用紙が巻き取り部分のスペース内に収まらなくなるので、ＬＣＤ４４にエラー表示を行うようにしたので、オペレータは巻取りコア２９にレシート用紙がスペース内に収まる限界までに巻かれたことを認識することができる。
【００５３】
このステップＳ２９の判定で「ＮＯ」と判定された場合、ジャーナル発行処理を中止する処理がなされる。
【００５４】
ところで、ステップＳ１２の判定で「ＹＥＳ」と判定された場合にはエラー表示がなされる（ステップＳ３１）。このエラー表示として、ジャーナル発行処理を続けるかのメッセージが出力される。
【００５５】
このメッセージに対して、オペレータがタッチパネル４５からジャーナル発行処理を続けるか否かを入力する。
【００５６】
これに対してジャーナル発行処理を続けるかが判定される（ステップＳ３２）。このステップＳ３２の判定で「ＹＥＳ」、ジャーナル発行処理を続けると判定された場合には、前述したステップＳ１１の処理に戻る。つまり、巻取りコア２９に巻き取られたレシート用紙を取り除き、新たなレシート用紙を落とし込み、レシート用紙の先端を図４の実線で示す経路を通過させた後、巻取りコア２９に巻き取らせた後、再度ステップＳ１１以降の処理を行う。
【００５７】
さらに、ステップＳ１３の判定で「ＮＯ」と判定された場合には、条件を満たしていない等のメッセージがＬＣＤ４４に表示される（ステップＳ３４）。
【００５８】
そして、このメッセージに対して、オペレータがタッチパネル４５からジャーナル発行処理を続けるか否かを入力する。
【００５９】
これに対してジャーナル発行処理を続けるかが判定される（ステップＳ３５）。このステップＳ３５の判定で「ＹＥＳ」、ジャーナル発行処理を続けると判定された場合には、前述したステップＳ１２の処理に戻る。
【００６０】
このステップＳ３５の判定で「ＮＯ」と判定された場合には、ジャーナル発行処理を中止する処理がなされる。
【００６１】
以上のように、電子ジャーナルデータを内部の巻き取り機構で巻き取る場合に、その巻き取り機構内に収まるように、レシート紙発行距離を積算しておくようにし、レシート紙発行積算距離が規定内に収まるようにしたので、巻取り側のスペースを大きくする必要はなくなる。従って、対面式はかりを小型化した場合でも、確実にレシート紙を内部に巻き取ることができる。
【００６２】
なお、上記実施の形態では、ステップＳ２４において「ＮＯ」と判定された場合には、すぐにエラー表示を行うようにしたが、業務の区切りが良いところまでレシートにジャーナルを印刷してからエラー表示を行うようにしても良い。
【００６３】
【発明の効果】
以上詳述したように本発明によれば、巻き取り側のスペースを大きくすることなくジャーナルレシートの内部巻取りが可能な対面式はかりを提供することができる。
【図面の簡単な説明】
【図１】本発明の一実施の形態に係わる対面式はかりのシステム構成を示すブロック図。
【図２】同実施の形態の動作を説明するためのフローチャートの一部。
【図３】同実施の形態の動作を説明するためのフローチャートの一部。
【図４】同実施の形態に係わるラベル受け皿周辺の構成を示す図。
【図５】同実施の形態に係わる対面式はかりの斜視図。
【符号の説明】
３０…ラベルエンドセンサ、
３１…用紙検出センサ、
４１…ＣＰＵ
４２…ＲＯＭ
４３…ＲＡＭ
４４…ＬＣＤ
４５…タッチパネル、
５１…走向距離カウンタ、
５２…レシート紙発行積算距離カウンタ、
５３…巻取りフラグ。
【図１】
0003683835.tif 000002
【図２】
0003683835.tif 000003
【図３】
0003683835.tif 000004
【図４】
0003683835.tif 000005
【図５】
0003683835.tif 000006